(57)【要約】【課題】薄型化を図ることができるビデオカメラを提供すること。【解決手段】シークモータ１２をターンテーブル９に対してカメラレンズ２及びビューファインダ３と反対側に配置し、レーザダイオード１８とコリメートレンズ２１の光路間にミラーを設けてレーザ光１９を折り曲げるとともにホルダ２７をレーザ光の光路上に配置し、光ディスク５の面方向に光ディスク装置４をカメラレンズまたはビューファインダと重なることなく並べて配置する。【選択図】  図１
2004343364.tif 000002
【特許請求の範囲】
【請求項１】
撮影する映像情報を取り込むカメラレンズと、
前記映像情報を光ディスクに記録する光ディスク装置と、を備え、
前記光ディスク装置を、前記光ディスクと平行面上に、前記カメラレンズと重なることなく配置することを特徴とする光ディスクビデオカメラ。
【請求項２】
撮影する映像情報を表示するビューファインダと、
前記映像情報を光ディスクに記録する光ディスク装置と、を備え、
前記光ディスク装置を、前記光ディスクと平行面上に、前記ビューファインダと重なることなく配置することを特徴とする光ディスクビデオカメラ。
【請求項３】
撮影する映像情報を取り込むカメラレンズと、
前記映像情報を表示するビューファインダと、
前記映像情報を光ディスクに記録する光ディスク装置と、を備え、
前記光ディスク装置を、前記光ディスクと平行面上に、前記カメラレンズ及び前記ビューファインダと重なることなく配置することを特徴とする光ディスクビデオカメラ。
【請求項４】
前記光ディスクビデオカメラの高さが前記光ディスクの直径より１０ｍｍを超えないことを特徴とする請求項１〜３のいずれか１項に記載の光ディスクビデオカメラ。
【請求項５】
前記光ディスク装置は、前記光ディスクに光を照射する光ヘッドと、前記光ヘッドを駆動する駆動部と、を備え、
前記駆動部を、前記光ディスクと平行な投影面において前記光ヘッドに対して前記カメラレンズと反対側に配置することを特徴とする請求項１、３または４に記載の光ディスクビデオカメラ。
【請求項６】
前記光ディスク装置は、前記光ディスクに光を照射する光ヘッドと、前記光ヘッドを駆動する駆動部と、を備え、
前記駆動部を、前記光ディスクと平行な投影面において前記光ヘッドに対して前記ビューファインダと反対側に配置することを特徴とする請求項２、３または４に記載の光ディスクビデオカメラ。
【請求項７】
前記光ディスク装置は、対物レンズを介して前記光ディスクに光を照射する光ヘッドと、前記対物レンズを保持するレンズホルダと、第１の端部と第２の端部を有しており前記第１の端部で前記レンズホルダを支持する支持部材と、前記支持部材の前記第２の端部を保持するホルダと、を備え、
前記ホルダを、光ディスクと平行な投影面において前記対物レンズに対して前記カメラレンズと反対側に配置することを特徴とする請求項１、３または４に記載の光ディスクビデオカメラ。
【請求項８】
前記光ディスク装置は、対物レンズを介して前記光ディスクに光を照射する光ヘッドと、前記対物レンズを保持するレンズホルダと、第１の端部と第２の端部を有しており前記第１の端部で前記レンズホルダを支持する支持部材と、前記支持部材の前記第２の端部を保持するホルダと、を備え、
前記ホルダを、光ディスクと平行な投影面において前記対物レンズに対して前記ビューファインダと反対側に配置することを特徴とする請求項２、３または４に記載の光ディスクビデオカメラ。
【請求項９】
前記光ヘッドは、レーザ光を出射するレーザを備え、
前記レーザを、出射したレーザ光が前記光ヘッドを支持する支持部材と平行となる位置に配置することを特徴とする請求項７または８に記載の光ディスクビデオカメラ。
【請求項１０】
前記光ヘッドは、レーザ光を出射するレーザと、前記レーザ光を反射するミラーと、前記レーザ光を平行光にするコリメートレンズと、を備え、
前記ミラーを、前記レーザと前記コリメートレンズとの間の光路中に配置することを特徴とする請求項７または８に記載の光ディスクビデオカメラ。
【発明の詳細な説明】
【０００１】
【発明の属する技術分野】
本発明はビデオカメラに関し、特に光ディスクを記録媒体として使用する光ディスクビデオカメラに関する。
【０００２】
【従来の技術】
従来の磁気テープに代わり、光ディスクを記録媒体としたビデオカメラがすでに製品化されている。このビデオカメラには、光ディスクとして直径８０ｍｍのＤＶＤ−ＲＡＭディスクが使用される。この光ディスクビデオカメラでは、カメラレンズやビューファインダは光ディスクおよび光ディスク装置に対し光ディスク面と垂直方向に並べて配置されている。（例えば、特許文献１参照）
従来技術による光ディスクビデオカメラの光ディスク装置とカメラレンズおよびビューファインダとの位置関係を説明するため、光ディスクビデオカメラの撮影状態における側面図を図５に、また撮影状態における正面図を図６に示す。以下の説明において、図５、図６に示すＸ、Ｙ、Ｚ方向を、説明の便宜のため、必要に応じて使用する。この方向は本明細書を通じて共通である。
【０００３】
図５、図６において、カメラ筐体１は光ディスクビデオカメラの構成部品を収納する。カメラレンズ２は、撮影する映像情報を取り込む。ビューファインダ３、液晶モニタ７には、使用者が撮影しようとする映像情報を確認できるように、その映像情報を表示される。光ディスク装置４は、カメラレンズ２で取り込んだ映像情報を光ディスク５に記録する。カメラ回路基板６には、カメラレンズ２を制御する回路が実装されている。シャーシ８は、光ディスク装置４を構成する構成部品を収納する。スピンドルモータ９は、光ディスク５を回転させる。光ヘッド１０Ｂは、映像情報を光ディスク５に記録するために、光ディスク５に光を照射する。光ヘッド１０Ｂは、シークモータ１２の動力がリードスクリュー１４、ラック１５を介して伝達されることで、ガイドバー１１によって案内される方向に駆動される。回路基板１３には、光ディスク装置４を制御する回路が実装されている。フレキシブルケーブル１６は、光ヘッド１０と回路基板１３とを接続するケーブルである。
【０００４】
光ディスク装置４は、シャーシ８、スピンドルモータ９、光ヘッド１０、ガイドバー１１、シークモータ１２、回路基板１３、リードスクリュー１４、ラック１５及びフレキシブルケーブル１６で構成される。光ディスク５は、光ディスク４に対して着脱可能である。
【０００５】
カメラ筐体１の内部には、カメラレンズ２とビューファインダ３がＸ軸上に並んで配置されている。そして、カメラレンズ２とビューファインダ３は、ともに光ディスク装置４とＹ軸上に並んで配置されている。カメラレンズ２とビューファインダ３は、撮影時の取扱い易さの点から一般的にカメラ筐体１のＺ方向の上部に、Ｘ方向にほぼ同軸上に配置されることが多い。従って、カメラ回路基板６と液晶モニタ７は、カメラレンズ２とビューファインダ３の下部に配置される。カメラレンズ２はズームレンズであり、所定の露出を確保する必要から大幅な小型化はできず、４０ｍｍ前後の直径とそれ以上の長さの空間を占有する。ビューファインダ３もカメラレンズ２と同程度の大きさである。
【０００６】
光ディスク装置４では、光ディスク５に撮影した映像情報を記録する。具体的には、スピンドルモータ９に取り付けられて回転している光ディスク５に対して、回路基板１３とフレキシブルケーブル１６によって電気的に接続された光ヘッド１０によって光を照射することで映像情報の記録再生を行う。
【０００７】
光ヘッド１０Ｂは、互いの間隔がＬ２（６０ｍｍ程度）である２本のガイドバー１１によってシャーシ８に取り付けられている。ラック１５がシークモータ１２のリードスクリュー１４とかみ合っているので、シークモータ１２を回転させることにより、光ヘッド１０Ｂを、光ディスク５の半径方向に移動させることができる。
【０００８】
なお、上述の光ディスクビデオカメラでは、シークモータ１２及びリードスクリュー１４を光ヘッド１０Ｂに対して上側に配置したが、下側に配置したディスクビデオカメラについても知られている。（例えば、特許文献２参照）
図７、図８を用いて上記従来技術で用いられている光ヘッド１０Ｂの構成を説明する。（例えば、特許文献３参照）
図７は光ヘッドの平面図、図８はその断面図である。
ケース１７に取り付けられたレーザダイオード１８から出射したレーザ光１９は、偏光ビームスプリッタ２０を通過し、コリメートレンズ２１で平行光束となり、立上げミラー２２で反射して偏光回折格子２３を通過し、対物レンズ２４で光ディスク５上に焦点を結ぶ。光ディスク５からの反射光は、上述した経路とは逆の経路を通過し、偏光ビームスプリッタ２０で反射されて光検出器３０に到達する。光検出器３０の出力で光ディスク５の情報を再生するとともにレーザ光１９の焦点と光ディスク５の記録面との位置ずれ信号、および記録トラックとの位置ずれ信号を検出する。
【０００９】
偏光回折格子２３および対物レンズ２４は、レンズホルダ２５に搭載されており、レンズホルダ２５には４本のバーサスペンション２６のそれぞれ一端（第１の端部）が固定され、他端（第２の端部）はケース１７に固定されたホルダ２７に固定されている。またレンズホルダ２５には図示しないコイルが取り付けられており、ヨーク２８、マグネット２９と組み合わせてボイスコイルモータを形成している。上記構成は一般的に２次元アクチュエータと呼ばれており、コイルに電流を流すことで、バーサスペンション２６によって弾性的に支持されたレンズホルダ２５、レンズホルダ２５と一体の対物レンズ２４及び偏光回折格子２３が、光ディスク５の面に垂直な方向（Ｙ方向）と光ディスク５の半径方向（Ｘ方向）の２次元空間内で移動することができる。前記従来技術の光ヘッドに用いられる２次元アクチュエータの技術は次のとおりである。（例えば、特許文献４参照）
上記二つの位置ずれ信号に基づいてレンズホルダ２５を前記２次元空間内で動かして光ディスク５の記録面上および記録トラック上にレーザ光１９の焦点を位置づけする。
【００１０】
上記の光ディスクビデオカメラでは、カメラレンズ２は光ヘッド１０Ｂとガイドバー１１およびシークモータ１２を挟んで光ディスク５からＹ方向に約１５ｍｍ離れた位置に配置されており、またビューファインダ３もシークモータ１２と回路基板１３を挟んで光ディスク５からＹ方向に約１５ｍｍ離れた位置に配置されている。その結果、光ディスクビデオカメラの厚さＷ２は、５０ｍｍ程となっている。
【００１１】
上記の配置によりカメラ筐体１の高さ（Ｚ方向寸法）を約９０ｍｍとして光ディスク５の直径（８０ｍｍ）に近づけることで、光ディスクビデオカメラを保持しやすい形状とすることができている。
【００１２】
【特許文献１】
特開２００１−１１１８７７号公報
【特許文献２】
特開２０００−３２３０９号公報
【特許文献３】
特開平９−１８０２４０号公報
【特許文献４】
特開２００１−２１６６６５号公報
【００１３】
【発明が解決しようとする課題】
一般的にビデオカメラにおいては、取扱いやすさや携帯性の点から、できる限りの小型化、薄型化が求められているが、従来の光ディスクビデオカメラでは、光ディスク装置に重なるようにカメラレンズまたはビューファインダが配置していたため、この重なった分だけ厚みＷ２（Ｙ方向寸法）が大きくなってしまっていた。薄型化（Ｙ方向寸法低減）のためには、重なっている部分のシ−クモータ自体や光ヘッド自体の薄型化が必要であるが、この部分の大幅な薄型化は困難である。
【００１４】
本発明の目的は、薄型化した光ディスクビデオカメラを提供することにある。
【００１５】
【課題を解決するための手段】
上記課題は、光ディスクに平行な投影面においてシークモータを光ヘッドに対し反カメラレンズ側に配置し、対物レンズアクチュエータのサスペンション固定部を対物レンズの反カメラレンズ側に配置した光ヘッドを、光ディスクとカメラレンズあるいはビューファインダの主要部と重ならないでカメラレンズあるいはビューファインダに対し同じ側に配置した２本のガイドバーでガイドすることで達成される。
【００１６】
【発明の実施の形態】
本発明の実施例を、図１から図４を用いて詳細に説明する。図５〜図８にて説明した光ディスクビデオカメラと同様の機能をもつ構成要素には同じ数字を付与し、詳細な説明は省略する。
【００１７】
図１は、本発明の実施例である光ディスクビデオカメラの撮影状態における側面図、図２は正面図（Ｘ方向に向かって見た図）を示す。
【００１８】
カメラ筐体１の内部には、カメラレンズ２とビューファインダ３が光ディスク装置４の上方（Ｚ方向）に、Ｘ方向の同軸上に並んで配置されており、厚さ方向（Ｙ方向）に、光ディスク装置４と並んでカメラ回路基板６と液晶モニタ７が配置されている。
【００１９】
光ヘッド１０Ａについて図３および図４を用いて説明する。光ヘッド１０Ａにおいては、ケース１７に取り付けられたレーザダイオード１８から出射したレーザ光１９は、ミラー３１で進行方向をＸ方向からＺ方向に変えた後、偏光ビームスプリッタ２０を通過して、コリメートレンズ２１で平行光束となり、立上げミラー２２でＹ方向に反射して偏光回折格子２３を通過し、対物レンズ２４で光ディスク５上に焦点を結ぶ。光ディスク５からの反射光は、出射光とは逆の経路を通過し、偏光ビームスプリッタ２０で反射して光検出器３０に到達する。光検出器３０の出力で光ディスク５の情報を再生するとともにレーザ光１９の焦点と光ディスク５の記録面との位置ずれ信号、および記録トラックとの位置ずれ信号を検出する。
【００２０】
偏光回折格子２３および対物レンズ２４は、対物レンズアクチュエータのレンズホルダ２５に搭載されており、レンズホルダ２５には４本のバーサスペンション２６のそれぞれ一端が固定され、他端はケース１７に固定されたホルダ２７に固定されている。またレンズホルダ２５には図示しないコイルが取り付けられており、ヨーク２８、マグネット２９と組み合わせてボイスコイルモータを形成している。
【００２１】
本実施例の光ディスクビデオカメラでは、光ディスク装置４を、カメラレンズ２及びビューファインダ３と光ディスク５に対して垂直方向（Ｙ方向）に重なることなく配置する。このような配置とすることにより、図５〜図８に図示したビデオカメラに比べてカメラ筐体１の厚みＷ１を、Ｗ２（５０ｍｍ程度）から４０ｍｍ程度にまで薄型化することができる。
【００２２】
また、本実施例の光ディスクビデオカメラでは、光ヘッド１０Ａを小型化し、シークモータ１２を光ヘッド１０Ａに対してカメラレンズ２側とは反対側に配置した。これにより、本実施例のカメラ筐体１の高さは、図５に示した従来のビデオカメラとほとんど変わらない。即ち、光ディスク５の直径（本実施例では８０ｍｍ）に対して１０ｍｍを超えない程度の高さである。このような構成により、光ディスクビデオカメラ自体の高さをほとんど変えずに、カメラレンズ２及びビューファインダ３と光ディスク５に対して垂直方向（Ｙ方向）に重なることなく光ディスク装置４を配置することができる。従って、上述の薄型化の効果と共に、高さを変える必要がないことから、小型化の効果も得られ、取り扱いやすさ、携帯性を向上させることができる。
【００２３】
本実施例の光ヘッド１０Ａは、図５〜図８に図示した光ヘッド１０Ｂと比較して２本のガイドバー１１ａ、１１ｂの間隔Ｌ１を４０ｍｍ程度と狭くできるように小型化されている。つまり、Ｌ１＜Ｌ２の関係にある。対物レンズ２４は、光ディスク５の径方向を内外周に移動することが必要である。図１に図示したとおり、光ヘッド１０Ａが光ディスク５の内外周に移動する場合に、光ディスクビデオカメラの高さ（Ｚ方向寸法）を最小に抑えるには、光ヘッド１０Ａの移動方向をＸ方向と平行な方向にするのが好ましい。従って、対物レンズ２４の上下（Ｚ）方向の配置は、スピンドルモータ９の中心を通るＸ軸に平行な線上と決められる。
【００２４】
２本のガイドバー１１ａ、１１ｂの間隔をＬ１と狭くすることによって、シークモータ１２を光ヘッド１０Ａに対してカメラレンズ２及びビューファインダ３と反対側に配置しても、光ディスク中心から光ディスクビデオカメラ端までのカメラ筐体１の高さを変える必要はなくなる。また、２本のガイドバー１１ａ、１１ｂの間隔をＬ１と狭くすることによって、対物レンズ２４から上側のガイドバー１１ａまでの間隔も狭めることができるので、シャーシ８をスピンドルモータ９の外周上部と同じくらいの高さまで小さくすることができる。
【００２５】
これによって、カメラ筐体１のＺ方向寸法を拡大することなく光ヘッド１０Ａおよびシャーシ８をカメラレンズ２とＸＺ平面で並べて配置することが可能となり、カメラレンズ２と光ディスク装置４とが厚み方向（Ｙ方向）に重ならないので、カメラレンズ２は光ディスク５に大幅に近づけることができる。光ディスク５の取り付け取外しの際にカメラレンズ２に触れないようにするためにディスク５とカメラレンズ２との間に壁が必要となるが、図５〜図８に示したビデオカメラで光ディスク５からカメラレンズ２まで約１５ｍｍ離れていたものを、本実施例では４ｍｍ程度まで近づけることが可能となる。
【００２６】
ビューファインダ３についてもシークモータ１２が対物レンズに対して反カメラレンズ側に配置され、さらに回路基板１３とシャーシ８の小型化によって光ディスク装置４と重ならなくなっており、カメラレンズ２と同様に光ディスク５に近づけることができている。
【００２７】
なお、回路基板１３の小型化は、部品実装密度の向上や小型部品の採用によって対応することができる。
【００２８】
上記のように光ディスク装置４とカメラレンズ２、ビューファインダ３が厚み方向（Ｙ方向）に重ならないので、この部分については約１１ｍｍと大幅な薄型化が可能となった。
【００２９】
図３、図４を用いて上記実施例の光ディスクビデオカメラで使用する光ヘッド１０Ａの構成を説明する。図３は光ヘッド１０Ａの平面図、図４はそのＹＺ面中央断面図である。
【００３０】
図５〜図８に示した光ヘッド１０Ｂでは、半導体レーザ１８から出たレーザ光をまっすぐコリメータレンズ２１に入射させていたが、光ヘッド１０Ａでは、光路を途中で折り曲げることにより光ヘッド１０Ａの寸法を小型化している。そのため、半導体レーザ１８を、出射光がＺ方向ではなく、Ｘ方向を向く位置に配置し、ミラー３１を追加して半導体レーザ１８から出射されたＸ方向のレーザ光１９をコリメータレンズ２１方向、すなわちＺ方向に折り曲げている。この構成により、対物レンズ２４から反カメラレンズ２側のガイドバー１１ｂまでの間隔をＬ２からＬ１に狭めることが可能となった。
【００３１】
さらに、ホルダ２７をレーザ光１９の光路上に配置した点も光ヘッド１０Ｂとの違いの１つである。これによって対物レンズ２４からカメラレンズ側のガイドバー１１ａまでの間隔を狭めることができた。
【００３２】
ただし、ホルダ２７の形状を変更せずにホルダ２７を対物レンズに対し反カメラレンズ側に配置すると、コリメートレンズ２１と干渉し、またレーザ光１９の一部を遮ってしまう。光ヘッド１０の厚みを大きくせずにホルダ２７を反カメラレンズ側に配置するために、ホルダ２７には新たにコリメートレンズ２１の逃げ部３２とレーザ光を通すための切り欠き３３を設け、コリメートレンズ２１と接触したりレーザ光１９を遮ったりすることがないようにしている。光ヘッド１０の厚みを大きくすることは、光ディスクビデオカメラの厚さを大きくすることにつながるため、この構成も光ディスクビデオカメラの薄型化に寄与している。
【００３３】
上記実施例では、前記光ディスク装置を、前記光ディスクと平行面上に、前記カメラレンズ及び前記ビューファインダの両方と重なることなく配置した例について説明したが、カメラレンズ２とビューファインダ３のうち少なくとも厚さが大きいほうと重ならないように配置すれば、薄型化を図ることができるのは言うまでもない。
【００３４】
上記実施例はカメラレンズ２とビューファインダ３が撮影状態において上側に配置されている場合であるが、カメラレンズ２またはビューファインダ３が下側に配置される場合においては、上記実施例の逆の配置、すなわちシークモータ１２を光ヘッド１０の上側に配置しホルダ２７を対物レンズ２４に対して上側に配置することで同様の効果が得られる。
【００３５】
上記実施例では光ヘッド１０の移動機構にシークモータ１２を用いているが他の移動機構を用いてもよく、例えばモータとリードスクリュー間をギアで連結した構成でもよいし、リニアボイスコイルモータを用いてもよい。
【００３６】
上記実施例ではシークモータ１２とガイドバー１１ｂを別々に設けているが、シークモータ１２のリードスクリュー１４でガイドバーを兼用してもよい。すなわちガイドバー１１ｂの代りにリードスクリュー１２を光ヘッド１０に貫通させてリードスクリュー１４にガイドバー１１ｂの役目を兼用させてもよい。その場合、半導体レーザ１８とコリメートレンズの間にミラー３１を設けて対物レンズ２４からシークモータ１２側のガイドバー１１ｂまでの間隔を狭めなくても、カメラ筐体１の高さを大きくしないで光ヘッド１０をカメラレンズ２またはビューファインダ３の下に配置できる可能性がある。
【００３７】
【発明の効果】
本発明によれば、光ディスクビデオカメラの薄型化を図ることができる。
【図面の簡単な説明】
【図１】本発明の実施例である光ディスクビデオカメラの側面図。
【図２】本発明の実施例である光ディスクビデオカメラの正面図。
【図３】本発明の実施例における光ヘッドの平面図。
【図４】本発明の実施例における光ヘッドの断面図。
【図５】従来技術による光ディスクビデオカメラの側面図。
【図６】従来技術による光ディスクビデオカメラの正面図。
【図７】従来の技術における光ヘッドの平面図。
【図８】従来の技術における光ヘッドの断面図。
【符号の説明】
１…カメラ筐体、２…カメラレンズ、３…ビューファインダ、４…光ディスク装置、５…光ディスク、６…カメラ回路基板、７…液晶モニタ、８…シャーシ、９…スピンドルモータ、１０Ａ、１０Ｂ…光ヘッド、１１…ガイドバー、１２…シークモータ、１３…回路基板、１４…リードスクリュー、１５…ラック、１６…フレキシブルケーブル、１７…ケース、１８…レーザダイオード、１９…レーザ光、２０…偏光ビームスプリッタ、２１…コリメートレンズ、２２…立上げミラー、２３…偏光回折格子、２４…対物レンズ、２５…レンズホルダ、２６…サスペンション、２７…ホルダ、２８…ヨーク、２９…マグネット、３０…光検出器、３１…ミラー、３２…逃げ部、３３…切り欠き。
【図１】
2004343364.tif 000003
【図２】
2004343364.tif 000004
【図３】
2004343364.tif 000005
【図４】
2004343364.tif 000006
【図５】
2004343364.tif 000007
【図６】
2004343364.tif 000008
【図７】
2004343364.tif 000009
【図８】
2004343364.tif 000010